Podtech/llm-jp-corpus-v4-ja_patent huggingface dataset:
(57)【要約】
【課題】かかった魚が外れ難い釣り針を提供しようとする。
【解決手段】釣り針１本に対し、かえりを複数つけた。
【選択図】　図１
0003100438.tif 000002
【実用新案登録請求の範囲】
【請求項１】
１本の釣り針に複数のかえりを取り付けた釣り針
【考案の詳細な説明】
【考案の詳細な説明】
【技術分野】
【０００１】　本考案は釣り針のかえりを複数付けることにより、かかった魚が外れ難い釣り針に関するものである。
【背景技術】
【０００２】　従来の釣り針１本に付いているかえりの数は１個のみである。
【考案が解決しようとする課題】
【０００３】　従来の釣り針１本あたりに付いているかえりは、１個であったため魚がかかった際に魚が暴れたり、潮流に魚が流されることによって、釣り針から魚が外れてしまいやすい問題を有していた。
【０００４】　本考案は、従来の技術の有するこの様な問題点に鑑みてなされたものであり、その目的とするところは、かかった魚が外れ難い釣り針を提供しようとするものである。
【課題を解決するための手段】
【０００５】　上記目的を達成するために、本考案における釣り針１本に対し、かえりを複数つけた。
【０００６】
【０００５】で述べたかえりは１本針でも複数の針、例えば３本針でも良いこととする。
【考案を実施するための最良の形態】
【０００７】　本考案の釣り針に魚の薄い部分、例えばくちびるの部分にかかった場合、１個のかえりから魚が抜けても、他のかえりがまた引っ掛かる。また、魚の厚い部分、例えば口の奥にかかった場合、複数のかえりが魚の厚い部分に引っ掛かる。
【考案の効果】
【０００８】本考案の釣り針に魚がかかった時、かかった場所が薄い部分、例えばくちびるの部分にかかった場合、１個のかえりから魚が抜けても、他のかえりがまた引っ掛かるので、魚が外れてしまう確率が低くなる。また、魚の厚い部分、例えば口の奥にかかった場合、複数のかえりが魚の厚い部分に引っ掛かり、釣り上げる時にかえりが釣り針の支点となるので、かえりが複数かかるほどより魚が外れてしまう確率が低くなる。
【図面の簡単な説明】
【０００９】
【図１】本考案の釣り針の正面図である。
【図２】本考案の釣り針の右側面図である。
【図３】本考案の釣り針の平面図である。
【図４】本考案の釣り針の斜視図である。
【図５】本考案の釣り針の３本針の正面図である。
【図６】従来の釣り針の正面図である。
【符号の説明】
Ａ　かえり
【図１】
0003100438.tif 000003
【図２】
0003100438.tif 000004
【図３】
0003100438.tif 000005
【図４】
0003100438.tif 000006
【図５】
0003100438.tif 000007
【図６】
0003100438.tif 000008
(57)【要約】
【課題】煙草の火を瞬時に完全消火するとともに、灰皿の掃除を容易にし美観の向上を目的とする。
【解決手段】ざる（２）と吸殻を入れる容器（３）を個々に、上部開口部が二つある箱（４）に入れ、水をざる（２）の中に入れる。その中には灰のみを落とし水は煙草の火を瞬時に完全消火するために使う。たまった灰はざる（２）で漉しながらすくい上げ水と灰を仕分けする。消火し終わった吸殻は吸殻を入れる容器（３）に入れる。水と灰と吸殻を仕分けすることによって掃除をしやすくしたものである。これは水に吸殻を入れた場合、水が茶色く変色し悪臭が出るのを防ぐ効果をもたらしたものである。本考案は安全かつ衛生的で蓋（１）をすることで美観を増すことを可能にした三種類仕分け灰皿である。
【選択図】　図１
0003100436.tif 000002
【実用新案登録請求の範囲】
【請求項１】
　上部開口部が二つある箱（４）の中に、吸殻を入れるための上部開口部のある容器（３）と灰を漉すざる（２）を個々に入れ、ざる（２）を入れた部分に煙草の火の消火に使う水を入れ箱（４）に蓋（１）をした三種類仕分け灰皿。
【考案の詳細な説明】
【技術分野】
【０００１】　本考案は、煙草の火の消火に使う水と灰と、消火し終わった吸殻を仕分けすることが出来る、蓋付きの三種類仕分け灰皿である。
【背景の技術】
【０００２】　従来の灰皿は煙草の火を灰皿の底の部分に押し付けて消火する煩わしさがあり、風で灰が飛んだり消し忘れによる残り火で火災が発生する危険性があった。また灰皿にたまった吸殻は美観を損ねるものであった。
【考案の開示】
【考案が解決しようとする課題】
【０００３】　従来の灰皿は瞬時に煙草の火の消火が出来ず、残り火で火災が発生する恐れがある。また灰が風で飛んだり、吸殻がたまった状態だと美観を損ねる問題を有していた。
【課題を解決するための手段】
【０００４】　ざる（２）と吸殻を入れる容器（３）をそれぞれ、上部開口部が二つある箱（４）に入れ、ざる（２）を入れた部分に水を入れ灰のみを落とし水に沈め、灰が風で飛ぶのを防ぐ。また水は煙草の火を瞬時に完全消火するために使う。消火し終わった吸殻は吸殻を入れる容器（３）に入れ、箱（４）に蓋（１）をすることで吸殻がたまった状態の美観を損ねる問題を解決する。
　本考案に適した材質は金属、ガラス、陶器、耐熱プラスチック等が用いえる。
【考案の効果】
【０００５】　煙草の火の消火に水を使うことによって完全消火が瞬時に出来る。また灰のみを水に沈め風で飛ぶのを防ぎ、水と灰と吸殻を仕分けすることによって掃除をしやすくしたものである。これは水に吸殻を入れた場合、水が茶色く変色し悪臭が出るのを防ぐ効果をもたらしたものである。本考案は安全かつ衛生的で蓋をすることで美観を増すことを可能にした三種類仕分け灰皿である。
【考案の実施するための最良の形態】
【０００６】　喫煙中に出た灰をざる（２）の中に落とし、煙草の火はざる（２）の中の水につけ完全消火する。消火し終わった吸殻は吸殻を入れる容器（３）に入れ蓋（１）をする。喫煙中に火のついた煙草を三種類仕分け灰皿に置きたいときは、煙草はさみ口（６）にはさむ。掃除をするときは、箱（４）に入れてあるざる（２）の両脇についてる把手（５）を使い、ざる（２）を持ち上げて灰を漉し、灰と水を分離させ個々に捨てる。吸殻は吸殻を入れる容器（３）を箱（４）の吸殻を入れる容器取り出し口（７）から取外し捨てる。
【図面の簡単な説明】
【０００７】
【図１】蓋を取った斜視図である。
【図２】本考案の側面斜視図である。
【図３】本考案の分解斜視図である。
【図４】本考案の正面図である。
【図５】本考案の平面図である。
【図６】本考案の断面図である。
【符号の説明】
【０００８】　　１蓋
　　２ざる
　　３吸殻を入れる容器
　　４箱
　　５把手
　　６煙草はさみ口
　　７吸殻を入れる容器取り出し口
【図１】
0003100436.tif 000003
【図２】
0003100436.tif 000004
【図３】
0003100436.tif 000005
【図４】
0003100436.tif 000006
【図５】
0003100436.tif 000007
【図６】
0003100436.tif 000008
(57)【要約】
【課題】　天候・季節等起床時間に関係なく、光と音により快適な目覚めを提供する。
【解決手段】　照明用ライトと目覚まし時計を一体化し、目覚まし時計の設定された起床時間に目覚まし音に加え、照明用ライトが点灯することを特徴とする。
【選択図】　図１
0003100440.tif 000002
【実用新案登録請求の範囲】
【請求項１】
　目覚まし時計に照明用ライトを取り付け、目を覚ますために設定した時間に照明用ライトが点灯し、音が鳴る照明用ライト付目覚まし時計。
【考案の詳細な説明】
【考案の詳細な説明】
【技術分野】
【０００１】　この実用新案は目覚まし時計に照明用ライトを取り付けた照明用ライト付目覚まし時計に関するものである。
【背景技術】
【０００２】　従来の目覚まし時計は、音により起きた。しかし、晴れ・曇り・雨の日、春・夏・秋・冬、起きる時間の明るさにより、目覚めの良し、悪しに大きな差がある。
【考案が解決しようとする課題】
【０００３】　現在使用されている目覚まし時計には、次のような課題がある。
　（イ）音だけでは起床後、目が覚めるまで時間がかかる。
　（ロ）起きてから部屋を明るくする（時期により、カーテン・雨戸等を開ける、照明をつける等）。
　（ハ）仕事等により生活時間帯がずれて、朝の起床とは限らない。
　（二）住宅事情により、朝日が入らない、一日を通して日光の入らない部屋等が多くなっている。
　本考案は、これらの課題を解決するためである。
【課題を解決するための手段】
【０００４】　目覚まし時計に照明用ライトを取り付け、設定時間にライトが点灯し音が鳴る。
【考案を実施するための最良の形態】
【０００５】　以下、本案の実施の形態について説明する。
　（イ）照明用ライトと目覚まし時計を一体化する。
　（ロ）設定時間に、照明用ライトが点灯し、音が鳴る。
　（ハ）照明、音のどちらか一方の使用もできる。
　（二）照明用ライトの電源はＡＣ１００Ｖとすることにより、必要な明るさは得られる。
　本考案は、目覚まし時計に照明用ライトを取り付けたものである。
【考案の効果】
【０００６】　従来の目覚まし時計と部屋の照明は別々だったので、起きてから部屋を明るくする。
　しかし、人間本来の生活リズムは、太陽が昇り、その太陽の明るさで目が覚め身体も徐々に活動状態になる。
　そこで、天候による明るさの変化、季節による日の出時間の変化、生活時間帯のずれ、住宅事情により部屋が明るくならない等の問題に係りなく起床時間に、照明用ライトにより部屋を明るくし、音と共に起こされるため目覚めやすい。
【図面の簡単な説明】
【図１】　本考案の斜視図である。
【符号の説明】
　　　　　１　照明用ライト付目覚まし時計
　　　　　２　照明用ライト
　　　　　３　ライトカバー（透明・耐熱）
　　　　　４　電源（ＡＣ１００Ｖ）
　　　　　５　目覚まし時間設定つまみ
　　　　　６　時計時間合わせつまみ
　　　　　７　目覚ましＯＮ，ＯＦＦつまみ
　　　　　８　電源ＯＮ，ＯＦＦスイッチ
　　　　　９　時計部
【図１】
0003100440.tif 000003
(57)【要約】　　　（修正有）【課題】接続部の亀裂及び回転、コンクリート桝上部からの脱却がなくなるコンクリート製丸溜桝上部破損防止リングの提供。【解決手段】コンクリート製丸溜桝上部破損防止リング１の接続面部に段差２を設け、リング１の溶接面部３を段差にはめ込みスポット溶接加工４を設けた。【選択図】図１
0003100435.tif 000002
【実用新案登録請求の範囲】
【請求項１】
　コンクリート製丸溜桝上部破損防止リングの接続面片方に段差を設け、上下に合わせて、スポット溶接加工を設け、ひび割れ防止、回転防止、上えの外れ防止を解決させたリング
【考案の詳細な説明】
【技術分野】
【０００１】　本考案は、コンクリート製丸溜桝上部破損防止リングで、リング接続にスポット溶接加工を設けた、丸溜桝上部にはめ込むリングに関するものである。
【背景技術】
【０００２】　従来、コンクリート製丸溜桝上部破損防止リングがあった、接続をアルゴン溶接したものだった。
【考案の開示】
【考案が解決しようとする課題】
【０００３】　これは次のような欠点があった
　（イ）アルゴンでリングの先端と先端を合わせ溶接した、溶接面にひび割れがおきた、特に溶接始めと終わりが割れやすい、
　（ロ）円形で引っかかりがなく、回転、上に外れる危険性がある、
　本考案は以上の欠点を解決するために考案されたものである。
【課題を解決するための手段】
【０００４】　コンクリート製丸溜桝上部破損防止リング片方に板厚分の段差を設け、片方段差のないものを段差にはめ込み接続面中心部４箇所にスポット溶接加工を設け、ひび割れ防止、回転、外れを解決させた。
【考案の効果】
【０００５】　コンクリート製丸溜桝上部破損防止リング合わせ溶接部の亀裂がなくなり、運送中、使用中の脱却がなくなる。
【考案の実施するための最良の形態】
【０００６】　以下、本考案の実施の形態を説明する
　コンクリート製丸溜桝上部破損防止リング垂直部内面５をコンクリート製丸溜桝７上部にはめ込む、多少固めに製作されている、運送中の脱却防止のためもある、木、等でリング平面６を軽くたたき桝上部にピッタリはめ込む、スポット溶接面外面には段差がなく、内面には段差２がありこれにより回転、外れ防止をさせることができる。
【実施例】
【０００７】　以下、添付図面にしたがって一実施例を説明する、１はコンクリート製丸溜桝上部破損防止リングでステンレスＳ３０４の材料を使用する、錆ない、２は接続面に１ｍｍの段差をつけ外部面は図４のように平らである、内面は段差がありこれにより回転、外れ防止を、３は１０ｍｍ幅の溶接面を設け、４のスポット溶接を可能にさせ、ひび割れ、回転、脱却を解決させた。
【図面の簡単な説明】
【０００８】
【図１】本考案を示した斜視図である。
【図２】本考案の使用状態を示す斜視図である。
【図３】本考案を示した断面図である。
【図４】本考案を示した底面図である。
【符号の説明】
【０００９】１　　コンクリート製丸溜桝上部破損防止リング
２　　段差
３　　溶接面
４　　スポット溶接部
５　　リング垂直部内面
６　　リング平面
７　　コンクリート製丸溜桝
【図１】
0003100435.tif 000003
【図２】
0003100435.tif 000004
【図３】
0003100435.tif 000005
【図４】
0003100435.tif 000006
(57)【要約】
【課題】本考案は炭の持つ居住性に優れ健康的な各機能を、畳表に組み込むことでコスト増加要因を最小限化する。
【解決手段】本考案は炭粉担持繊維を単独又は混紡した経糸１を用いて、又は一般の経糸と併用し、いぐさ２を製織した畳表３を提供することにより、畳表の製織、畳の製造、畳表の張替えにおける設備装置や作業工程が従来畳と変更なく実施でき、炭の持つ居住性に優れ健康的な各機能を最小限のコスト増加要因で提供できる。
【選択図】　図１
0003100411.tif 000002
【実用新案登録請求の範囲】
【請求項１】
　炭粉担持繊維からなる経糸又は炭粉担持繊維と従来畳表に用いられる一般繊維である綿、麻、ビニロン、ポリエステル、ポリプロピレン、その他を混紡した経糸を用いて、又は一般繊維のみの経糸と併用し、いぐさを製織することで、炭の持つ居住性に優れ、健康的な各機能を利用できることを特徴とする畳表。
【考案の詳細な説明】
【技術分野】
【０００１】　本考案は、炭粉担持繊維からなる経糸又は炭粉担持繊維と従来畳表に用いられる一般繊維である綿、麻、ビニロン、ポリエステル、ポリプロピレン、その他を混紡した経糸を用いて、又は一般繊維のみの経糸と併用し、いぐさを製織した、畳表に関するものである。
【背景技術】
【０００２】　炭粉担持繊維として、活性化木炭をレーヨン繊維に担持させたものや、木炭を合成樹脂に混合し繊維化したもの、あるいは塗料に混合し塗布した繊維が提案されている。
　繊維単独としては、強度、素材感、色合いなどに制限がある。【０００３】　炭の持つ居住性に優れ、健康的な各機能は周知のところであるが、これを畳に反映させるため、畳を構成する畳床又はその一部となるシート等構成材に炭を組み込み、その各機能を利用する製品が提案されている。実用において、製造段階におけるコストの増加が大きいという欠点があった。【０００４】　畳表の張替え時に、炭の持つ各機能を利用する場合、畳表と畳床の間に敷きこむ又は設置する炭機能を付与した構成材が提案されている。張替え段階におけるコストの増加が大きいという欠点があった。
【考案の開示】
【考案が解決しようとする課題】
【０００５】　畳を構成する畳床又はその一部となるシート等構成材に炭を組み込み、その各機能を利用する製品を製造しようとすると、畳の構造又はその製造工程に対応するための設備の新設又は従来の生産設備の変更や工程の追加変更が発生する。このことは、炭の各機能を利用しない従来の畳と比べ、コストを大きく増加させることとなる。本考案の課題は炭の各機能を損なうことなく、従来の生産設備や工程のまま畳の製造を行うことで、コスト増加要因を最小限にとどめようとするものである。【０００６】　日常的に実施される畳表の張替えという畳の再生においては、新に炭の持つ各機能を利用する場合、別途畳表以外の炭を組み込んだ構成材を用意し、さらに設備の新設又は従来設備の変更や工程の追加変更が発生する。本考案の課題は、従来通りの作業工程で張替えるだけで新に炭の持つ各機能を利用できることである。
【課題を解決するための手段】
【考案の効果】
【０００７】　上述のように、本考案の畳表において利用する経糸は、一般の畳表用経糸に替え、炭粉担持繊維からなる経糸又は炭粉担持繊維と従来畳表に用いられる一般繊維である綿、麻、ビニロン、ポリエステル、ポリプロピレン、その他を混紡した経糸を用いて、又は一般繊維のみの経糸と併用したものであり、その取扱い及び形状等は従来品と変わりないため、畳表製織装置の特別な改造や変更は必要としない。【０００８】　本考案の畳表は従来品と変わりなく、そのため畳を製造する過程においても装置や工程等一切変更が発生しない。即ち、本考案の畳表を用いた場合でも価格増加要因は本考案の畳表と一般の畳表の差額のみである。【０００９】　本考案の畳表の張替えも従来通りの作業工程である。即ち、本考案の畳表を用いた場合でも価格増加要因は本考案の畳表と一般の畳表の差額のみである。【００１０】　いぐさを製織した畳表の上敷きを製造する過程においても装置や工程等一切変更が発生しない。
【考案を実施するための最良の形態】
【００１１】　炭粉担持繊維からなる経糸又は炭粉担持繊維と従来畳表に用いられる一般繊維である綿、麻、ビニロン、ポリエステル、ポリプロピレン、その他を混紡した経糸を用いて、又は一般繊維のみの経糸と併用し、いぐさを製織するが、畳表の形状及び外観は従来品と同一である。
【実施例】
【００１２】　以下、添付図面に従って実施例を説明する。１は炭粉担持繊維と綿、麻、ビニロン、ポリエステル、ポリプロピレン、その他の繊維を混紡した経糸である。これを２のいぐさと織る。３は炭粉担持繊維を混紡した経糸を用い製織した畳表となる。あるいは、１の炭粉担持繊維単独・混紡した経糸と一般の経糸４を併用した製織した畳表となる。
【図面の簡単な説明】
【００１３】
【図１】炭粉担持繊維を単独・混紡した経糸を用いた本考案の畳表の端部分図である
【図２】炭粉担持繊維を単独・混紡した経糸と一般の経糸と併用した本考案の畳表の端部分図である
【符号の説明】
【００１４】　１炭粉担持繊維を単独又は混紡した経糸
　２いぐさ
　３畳表
　４一般経糸
【図１】
0003100411.tif 000003
【図２】
0003100411.tif 000004
(57)【要約】
【課題】バンカーにおいて打球するとき、ボールを単に上げるだけでなく、飛距離を出すこともできるようにしたサンドウェッジを提供する。
【解決手段】クラブヘッド１の底部３に、ヘッドの移動方向に沿って貫通する砂抜き穴４を設ける。また、ヘッド１における底部３の下面３ａを、ヘッド１の移動方向後部側が下がるようにした曲面とする。
【選択図】図２
0003100420.tif 000002
【実用新案登録請求の範囲】
【請求項１】
　クラブヘッドの底部に、ヘッドの移動方向に沿って貫通する砂抜き穴を設けると共に、ヘッドの底部下面を、ヘッドの移動方向後部側が下がるようにした曲面としてなることを特徴とするゴルフクラブにおけるサンドウェッジ。
【考案の詳細な説明】
【技術分野】
【０００１】
　本考案はゴルフクラブにおけるサンドウェッジに関するものである。
【背景技術】
【０００２】
　ゴルフのプレー中にバンカー及びクロスバンカーにボールを打ち込んだ場合は、サンドウェッジを用いて打球することが多い。
【０００３】
　この場合において、従来のサンドウェッジによると、打球したときにそのヘッドの底部が砂にもぐり込み、砂の抵抗によってヘッドの移動速度が急激に低下してしまう。
【０００４】
　このため従来のサンドウェッジの場合には、せいぜいボールをバンカーから出すこと位の役目しか果たさなかった。
【０００５】
　しかし、例えばピンから１００ヤード前後の距離にあるクロスバンカーにボールを打ち込んだ場合に、単にボールをバンカーから出すだけでなく、もっと積極的に飛距離を出してピンの近くまで寄せることができれば、スコアーは飛躍的に向上する。
【考案の開示】
【考案が解決しようとする課題】
【０００６】
　本考案は上記の点に鑑みなされたものであって、バンカーにおいて打球する際に、ヘッドの底部が砂にもぐり込まず、且つまた砂によってヘッドの底部が移動中に押し上げられる作用をするようになさしめ、もってヘッドの勢いが殺がれることなくスムーズに移動するようになしたサンドウェッジを提供せんとするものである。
【課題を解決するための手段】
【０００７】
　而して、本考案の要旨とするところは、クラブヘッドの底部に、ヘッドの移動方向に沿って貫通する砂抜き穴を設けると共に、ヘッドの底部下面を、ヘッドの移動方向後部側が下がるようにした曲面としてなることを特徴とするゴルフクラブにおけるサンドウェッジにある。
【考案の効果】
【０００８】
　本考案は上記の如き構成、作用であり、バンカーにおいて打球する際に、ヘッドの底部が砂にもぐり込まず、且つまた砂によってヘッドの底部が移動中に押し上げられる作用をするようになさしめたものである。したがって、ヘッドが勢いを殺がれることなく、スムーズに移動し、ボールを単にバンカーから出すだけでなく、飛距離を出すこともできるものである。
【考案を実施するための最良の形態】
【０００９】
　本考案を実施するための最良の形態は、クラブヘッドの底部に、ヘッドの移動方向に沿って貫通する砂抜き穴を設けると共に、ヘッドの底部下面を、ヘッドの移動方向後部側が下がるようにした曲面としてなることにある。
【実施例】
【００１０】
　以下、本考案の実施例について図面を参照しつつ説明する。
　図１は本考案に係るサンドウェッジのヘッド部分の斜視図、図２は図１中Ａ−Ａ線断面図である。
【００１１】
　図中、１はサンドウェッジのヘッド、２はそのフェースである。該ヘッド１における底部３には、ヘッド１の移動方向に沿って貫通する砂抜き穴４を設けている。尚、本実施例おいては該砂抜き穴４を仕切壁５を用いて４個に分割しているが、この数は４個に限定するものではなく、仕切壁５を設けないで１個の横長の穴としてもよい。
【００１２】
　そしてまた、ヘッド１における底部３の下面３ａは、ヘッド１の移動方向後部側が下がるようにした曲面としている。
【００１３】
　次に、本実施例の作用について説明する。
　バンカーにおいて打球するときにあっては、ヘッド１は図２における矢標ａの通り移動する。そしてヘッド１の底部３が砂に当たると、該砂は図２における矢標ｂに示す如く、砂抜き穴４を通ってヘッド１の背面側に抜けてしまう。これによりヘッド１の底部３は従来の如く砂にもぐり込まず、砂による移動に対する抵抗は殆ど無くなる。また一方、ヘッド１の底部３の下面３ａがヘッド１の移動方向後部側が下がるようにした曲面に形成されているから、ヘッド１が移動するときに、図２における矢標ｃに示す如く、砂によってヘッドの底部３が押し上げられるように作用する。そしてこれにより更に移動に対する抵抗が減少し、もってヘッドが勢いを殺がれることなくスムーズに移動するものである。よってボールを単に上がらせるだけでなく、飛距離を出すこともできるものである。
【図面の簡単な説明】
【００１４】
【図１】本考案に係るサンドウェッジのヘッド部分の斜視図である。
【図２】図１中Ａ−Ａ線断面図である。
【符号の説明】
【００１５】
　１　サンドウェッジのヘッド
　２　フェース
　３　ヘッドの底部
　３ａ　ヘッドの底部の下面
　４　砂抜き穴
【図１】
0003100420.tif 000003
【図２】
0003100420.tif 000004
(57)【要約】
【課題】　低廉な費用で構成でき、かつスポンジクリーナのハードな使用に耐えて、長寿命であるスポンジクリーナを提供することを目的とする。
【解決手段】　合成樹脂の発泡体からなるスポンジクリーナ１０において、前記スポンジクリーナを少なくとも２つの前記発泡体１２、１４で構成し、それらの間に接着剤で固定された前記発泡体より強度の高い補強層１６を設けた。
【選択図】　図１
0003100474.tif 000002
【実用新案登録請求の範囲】
【請求項１】
　合成樹脂の発泡体からなるスポンジクリーナにおいて、
　前記スポンジクリーナを少なくとも２つの前記発泡体で構成し、それらの間に接着剤で固定された前記発泡体より強度の高い補強層を設けたことを特徴とするスポンジクリーナ。
【請求項２】
　前記補強層が、前記スポンジクリーナの厚さ方向の略中央に配されていることを特徴とする請求項１に記載のスポンジクリーナ。
【請求項３】
　前記補強層が、不織布であることを特徴とする請求項１又は２に記載のスポンジクリーナ。
【請求項４】
　前記補強層が、織布であることを特徴とする請求項１又は２に記載のスポンジクリーナ。
【請求項５】
　前記合成樹脂がポリウレタンであることを特徴とする請求項１から４のいずれか１つに記載のスポンジクリーナ。
【請求項６】
　前記合成樹脂がメラミンであることを特徴とする請求項１から４のいずれか１つに記載のスポンジクリーナ。
【考案の詳細な説明】
【技術分野】
【０００１】
　本考案は、スポンジクリーナに関し、特に台所などで洗剤を用いて食器などを洗浄するのに適したスポンジクリーナに関する。
【背景技術】
【０００２】
　様々なスポンジクリーナが台所用などとして生産され、用いられている。これらの中で、ウレタンやメラミンといった合成樹脂を発泡させ、発泡体の単体としてスポンジクリーナが構成されたものがある（下記の特許文献１参照）。
【特許文献１】特開２０００−３４２５０２号公報（要約書）
【考案の開示】
【考案が解決しようとする課題】
【０００３】
　しかしながら、上記従来の合成樹脂の発泡体の単体からなるスポンジクリーナは、全体が柔らかくて使いやすいという特徴を有しているものの、食器にこびりついた汚れを落とすために力を加えると、発泡体の単体の一部がちぎれてしまうという問題があった。
【０００４】
　本考案は上記従来の問題を解決するもので、低廉な費用で構成でき、かつスポンジクリーナのハードな使用に耐えて、長寿命であるスポンジクリーナを提供することを目的とする。
【課題を解決するための手段】
【０００５】
　上記目的を達成するために本考案では、スポンジクリーナを少なくとも２つの発泡体で構成し、それらの間に接着剤で固定された強度の高い補強層を設けている。
【０００６】
　すなわち本考案によれば、合成樹脂の発泡体からなるスポンジクリーナにおいて、
　前記スポンジクリーナを少なくとも２つの前記発泡体で構成し、それらの間に接着剤で固定された前記発泡体より強度の高い補強層を設けたことを特徴とするスポンジクリーナが提供される。
【０００７】
　また前記補強層が、前記スポンジクリーナの厚さ方向の略中央に配されていることは本考案の好ましい態様である。
【０００８】
　また前記補強層が、不織布であることは本考案の好ましい態様である。
【０００９】
　また前記補強層が、織布であることは本考案の好ましい態様である。
【００１０】
　また前記合成樹脂がポリウレタンであることは本考案の好ましい態様である。
【００１１】
　また前記合成樹脂がメラミンであることは本考案の好ましい態様である。
【考案の効果】
【００１２】
　本考案は合成樹脂の発泡体の単体の間に補強層を設けたので、ハードな使用によってもちぎれることがなく、耐久性が向上する。
【考案を実施するための最良の形態】
【００１３】
　以下、本考案の実施の形態について、図１及び図２を用いて説明する。図１は本考案のスポンジクリーナの好ましい実施の形態を示す斜視図であり、図２はその部分拡大断面図である。図１において、スポンジクリーナ１０は、合成樹脂の発泡体１２、１４とそれらの間に配された補強層１６を有している。発泡体１２、１４の合成樹脂としては、ポリウレタンやメラミンを用いることができる。また、補強層１６としては、不織布や織布を用いることができる。この補強層１６は、この実施の形態では、スポンジクリーナ１０の厚さ方向の略中央に配されている。なお、図示の実施の形態では２つの合成樹脂の発泡体１２、１４の間に１層の補強層１６を配しているが、合成樹脂の発泡体を３つ用意し、各隣り合う合成樹脂の発泡体の間に補強層を設けるようにすることもできる。
【００１４】
　補強層１６を取り付けるには接着剤を用いる。すなわち、図２に示すように、補強層１６は、接着剤１８Ａ、１８Ｂにより合成樹脂の発泡体１２、１４に接着される。なお、接着剤は、あらかじめ接着される相互の面の双方に塗布するか、場合によっては一方の面のみに塗布する。
【００１５】
　合成樹脂の発泡体は、例えば厚さが略１５ｍｍで幅１２５０ｍｍ×１２５０ｍｍの原反として製造されるが、これを適当なサイズにカットして、同様のサイズのシートを２枚用意し、それらの間に同サイズの補強層を配して接着する。その後、乾燥させてからスポンジクリーナ１０のサイズ（例えば、長さ１２５ｍｍ、幅６５ｍｍ、厚さ３０ｍｍ）にカットする。なお、用途などに応じてサイズは適宜変更可能であり、例えば厚さを略２０ｍｍとすべく、厚さ１０ｍｍの原反を使用することもできる。
【００１６】
　本考案のスポンジクリーナは、補強層を設けたので全体の強度（主として引っ張り強度）が補強層を設けていない従来のスポンジクリーナに較べて、約２〜３倍に増加している。
【産業上の利用可能性】
【００１７】
　以上のように本考案では、合成樹脂の発泡体の単体の間に補強層を設けたので、ハードな使用によってもちぎれることがなく、耐久性が向上することから、本考案は合成樹脂の発泡体を用いた様々な場所で使用されるスポンジクリーナを製造する合成樹脂製品の製造分野で有用である。
【図面の簡単な説明】
【００１８】
【図１】本考案のスポンジクリーナの好ましい実施の形態の斜視図である。
【図２】図１のスポンジクリーナの部分拡大断面図である。
【符号の説明】
【００１９】
　１０　スポンジクリーナ
　１２、１４　合成樹脂の発泡体
　１６　補強層
　１８Ａ、１８Ｂ　接着剤
【図１】
0003100474.tif 000003
【図２】
0003100474.tif 000004
(57)【要約】
【課題】　導電線の端部が導電端子から脱落したり、接触不良が発生するのを防ぐことができ、構造が簡単で、コストを低減できるプラグの提供。
【解決手段】　先端がプラグケースから突出する導電端子１の基部に、導電線Ｄの端部外周を把持する接続部材１１を一体に設け、接続部材１１に一つ以上の透孔１２を穿設し、接続部材１１の外側にハンダ材を付着して、透孔１２を介してハンダ材により導電線Ｄと接続部材１１とを接合してある。
【選択図】　　　　　図１
0003100472.tif 000002
【実用新案登録請求の範囲】
【請求項１】
　先端がプラグケースから突出する導電端子を有し、該導電端子の基部に、導電線の端部外周を把持する接続部材を一体に設け、該接続部材に一つ以上の透孔を穿設し、前記接続部材の外側にハンダ材を付着して、前記透孔を介して前記ハンダ材により前記導電線と接続部材とを接合したことを特徴とするプラグ。
【考案の詳細な説明】
【技術分野】
【０００１】
　本考案は、プラグに関する。
【背景技術】
【０００２】
　一般的に、電気製品に給電するためのプラグでは、プラグケースの内部に、先端がプラグケースから突出する導電端子Ａを設置してある。そして、導電端子Ａの基端には略筒状の接続端部Ｂを一体に設け、この接続端部Ｂで被覆ケーブルＣの導電線Ｄの端部を包み込み、図９に示すように、接続端部Ｂを工具で締め付けて、導電端子Ａと導電線Ｄとを接続していた。
　しかし、接続端部Ｂは導電線Ｄを比較的狭い面積で把持しているので、保持力が不足しがちであり、この結果、接触不良や導電線Ｄの脱落が発生しやすかった。
　そこで、接続端部Ｂによる保持力の不足を補うために、図１０に示すように、接続端部Ｂの外側から溶融したハンダ材Ｅを被せ、冷却され硬化したハンダ材Ｅによって、接続端部Ｂと導電線Ｄを強固に接続することが行われている。
【０００３】
　ところが、接続端部Ｂは導電線Ｄに密着しており、溶融したハンダ材Ｅが接続端部Ｂと導電線Ｄの間に流入するのは困難であるため、ハンダ材Ｅはたんに接続端部Ｂの周囲を取り巻くだけであって固定力が不十分であり、導電線Ｄの脱落や接触不良を完全に防ぐことは難しかった。
　また、上記従来のプラグにおいては、導電線Ｄの緩みや接触不良を防ぐために、人手による検査で不良品を排除しなければならず、このため、コストが高く付くばかりか、検査漏れによって不良品が消費者の手元に渡ることも多かった。
【考案の開示】
【考案が解決しようとする課題】
【０００４】
　本考案が解決しようとする課題は、導電線の端部が導電端子から脱落したり、接触不良が発生するのを防ぐことができ、構造が簡単で、コストを低減できるプラグを提供することにある。
【課題を解決するための手段】
【０００５】
　本考案のプラグは、先端がプラグケースから突出する導電端子を有し、該導電端子の基部に、導電線の端部外周を把持する接続部材を一体に設け、該接続部材に一つ以上の透孔を穿設し、前記接続部材の外側にハンダ材を付着して、前記透孔を介して前記ハンダ材により前記導電線と接続部材とを接合してある。
【考案の効果】
【０００６】
　本考案によれば、透孔を通して溶融したハンダ材が接続部材の内部に流入するので、接続部材と導電線とを強固に接続することができ、導電端子から導電線が脱落したり、接触不良が発生するのを防ぐことができる。
　また、接続部材に透孔を設けたことにより、導電端子の材料コストを低減できる。
【考案を実施するための最良の形態】
【０００７】
　以下、本考案の実施例を図面に基づいて詳細に説明する。
【実施例１】
【０００８】
　図１乃至図３は、実施例１を示す。
　本考案のプラグは被覆ケーブルＣの端部に装着され、図示しないプラグケースから先端が突出する導電端子１を有する。
　導電端子１の基端部には、周方向の一部が欠損した略筒状の接続部材１１が、軸方向に沿って後方へ延びるよう一体に形成されている。
　また、接続部材１１の中央部には、展開状態で略矩形の１個の透孔１２が穿設されている。
【０００９】
　そして、プラグを組み立てる際に、被覆ケーブルＣの端部に露出した導電線Ｄを、導電端子１の接続部材１１の内部へ挿入してから、接続部材１１を工具で中心方向へ押圧して、図２に示すように、導電線Ｄの端部外周を接続部材１１で把持する。
　次いで、図３に示すように、接続部材１１の外側から溶融したハンダ材Ｅを付着し、接続部材１１の前後端部及び中央部に形成された透孔１２部分において、接続部材１１と導電線Ｄとをハンダ付けする。
　溶融したハンダ材Ｅは、透孔１２を通して接続部材１１と導電線Ｄの間に流入するので、ハンダ材Ｅが冷却して硬化すると、導電端子１と導電線Ｄとは強固に接合される。
【実施例２】
【００１０】
　図４及び図５は、実施例２を示す。
　図４に示すように、接続部材１１の両側端縁からそれぞれ周方向に沿って切り欠いて、一対の透孔１３を形成してある。
　実施例１と同様にして、接続部材１１により導電線Ｄの端部外周を把持した後、接続部材１１の外側に溶融したハンダ材Ｅを付着し、図５に示すように、接続部材１１の前後端部及び両側に形成された透孔１３部分において、接続部材１１と導電線Ｄとをハンダ付けする。
　その他の構成は、実施例１とほぼ同様なので、詳細な説明は省略する。
【実施例３】
【００１１】
　図６及び図７は、実施例３を示す。
　図６に示すように、接続部材１１の適宜個所には、円形の透孔１４が複数穿設されている。
　図７に示すように、導電線Ｄの端部外周を把持した接続部材１１の外側にハンダ材Ｅを付着し、接続部材１１の前後端部及び複数の透孔１４部分で、接続部材１１と導電線Ｄとをハンダ付けする。
　その他の構成は、実施例１及び実施例１とほぼ同様である。
【図面の簡単な説明】
【００１２】
【図１】実施例１に係る導電端子及び被覆ケーブルの分解斜視図。
【図２】実施例１に係る導電端子及び被覆ケーブルの接続状態における斜視図。
【図３】実施例１に係る導電端子及び被覆ケーブルの断面図。
【図４】実施例２に係る導電端子の斜視図。
【図５】実施例２に係る導電端子及び被覆ケーブルの断面図。
【図６】実施例３に係る導電端子の斜視図。
【図７】実施例３に係る導電端子及び被覆ケーブルの断面図。
【図８】従来の導電端子及び被覆ケーブルの分解斜視図。
【図９】従来の導電端子及び被覆ケーブルの接続状態における斜視図。
【図１０】従来の導電端子及び被覆ケーブルの断面図。
【符号の説明】
【００１３】
　１　導電端子
　１１　接続部材
　１２　透孔
　１３　透孔
　１４　透孔
　Ｃ　被覆ケーブル
　Ｄ　導電線
　Ｅ　ハンダ材
【図１】
0003100472.tif 000003
【図２】
0003100472.tif 000004
【図３】
0003100472.tif 000005
【図４】
0003100472.tif 000006
【図５】
0003100472.tif 000007
【図６】
0003100472.tif 000008
【図７】
0003100472.tif 000009
【図８】
0003100472.tif 000010
【図９】
0003100472.tif 000011
【図１０】
0003100472.tif 000012
(57)【要約】
【課題】　従来のキッチンクリーナーに比べて洗剤の含みが良く、泡立ちの良いキッチンクリーナーを提供する。
【解決手段】　キッチンクリーナー１０として使用される合成樹脂製ネット１の中心部にスポンジ部２を設けたことにより、少量の洗剤でもしっかりキープし、泡立ちを向上させることができる。
【選択図】　図１
0003100473.tif 000002
【実用新案登録請求の範囲】
【請求項１】
　合成樹脂製ネットを束ねて所定形状としたキッチンクリーナーにおいて、
　前記所定形状の中心部に液体を含有することが可能なスポンジ部を形成したことを特徴とするキッチンクリーナー。
【請求項２】
　前記スポンジ部の周囲を帯状の前記合成樹脂製ネットで複数回巻き、巻き上がってできた巻回体の略中心部を所定の部材で縛ることにより前記所定形状を形成したことを特徴とする請求項１に記載のキッチンクリーナー。
【請求項３】
　前記合成樹脂製ネットとして、網目がハニカム構造のものを用いたことを特徴とする請求項１又は２に記載のキッチンクリーナー。
【請求項４】
　前記スポンジ部として、発泡ウレタン又は発泡メラミンを用いたことを特徴とする請求項１から３のいずれか１つに記載のキッチンクリーナー。
【考案の詳細な説明】
【技術分野】
【０００１】
　本考案は、キッチンクリーナーに関し、特に合成樹脂製ネットを使用したキッチンクリーナーの改良に関する。
【背景技術】
【０００２】
　従来の、合成樹脂製ネットを使用したキッチンクリーナーとしては、合成樹脂製ネットを束ねて形成されているものがある（下記の特許文献１、２参照）。
【特許文献１】特開平９−７０３７９号公報
【特許文献２】特表２０００−５１０３５９号公報
【考案の開示】
【考案が解決しようとする課題】
【０００３】
　しかしながら、従来の合成樹脂製ネットを束ねて形成されたキッチンクリーナーは、吸水性に欠けるため洗剤含みが悪いという問題があった。すなわち、合成樹脂製ネットの洗剤吸収性が劣るため洗剤の液漏れ（液垂れ）が起き、１回に含ませた洗剤の量で洗い切ることができる被洗浄物の量が少なかった。したがって、洗浄中に泡立ちが悪くなるたびに、洗剤を含み足さなくてはならなかった。上述の「洗剤」とは、液体のものに限らず、粉石鹸など固形物を水に溶かしたものも含まれる。
【０００４】
　したがって、本考案は従来のキッチンクリーナーに比べて洗剤の含みが良く、かつ泡立ちの良い合成樹脂製ネットを使用したキッチンクリーナーを提供することを目的とする。
【課題を解決するための手段】
【０００５】
　上記目的を達成するため、本考案では従来のキッチンクリーナーに比べて洗剤の含みが良く、泡立ちの良いキッチンクリーナーを提供するため、巻回体の合成樹脂製ネットの中心部にスポンジ部を設けたことにより、少量の洗剤でもしっかりキープし、泡立ちを向上させることができるようにしている。
【０００６】
　すなわち本考案によれば、合成樹脂製ネットを束ねて所定形状としたキッチンクリーナーにおいて、
　前記所定形状の中心部に液体を含有することが可能なスポンジ部を形成したことを特徴とするキッチンクリーナーが提供される。
【０００７】
　また前記スポンジ部の周囲を帯状の前記合成樹脂製ネットで複数回巻き、巻き上がってできた巻回体の略中心部を所定の部材で縛ることにより前記所定形状を形成したことは本考案の好ましい態様である。
【０００８】
　また、前記合成樹脂製ネットとして、網目がハニカム構造のものを用いることは、本考案の好ましい態様である。さらに、前記スポンジ部として、発泡ウレタン又は発泡メラミンを用いることは本考案の好ましい態様である。
【考案の効果】
【０００９】
　本考案によれば、洗剤含みのよいスポンジ部が巻回体の合成樹脂製ネットの中心部に設けられたので、従来の製品に比べて、吸水性が向上し、少量の洗剤でもしっかりキープすることができるので、使用時における泡立ちを良くして、使い勝手を向上させることができる。
【考案を実施するための最良の形態】
【００１０】
　以下、図面を参照して本考案の好ましい実施の形態について説明する。図１は、本考案にかかるキッチンクリーナーの好ましい実施の形態の斜視図である。図２は、図１に示すキッチンクリーナーの正面図である。図１、図２に示すように、キッチンクリーナー１０は、帯状のナイロンネットなどの合成樹脂製ネット１と略円柱状のスポンジ部２からなり、スポンジ部２の周囲を合成樹脂製ネット１で複数回巻き、でき上がった巻回体の略中央を所定の部材３で縛ることにより所定形状を形成している。所定の部材３としては、紐、輪ゴムなどが使用可能であるが、これに限られるものではない。
【００１１】
　上述のように本考案のキッチンクリーナー１０は、中心部に、洗剤などの液体を含有することが可能なスポンジ部２が設けられている。以下スポンジ部２について説明する。
【００１２】
　図３は、図２中のＡ−Ａ線拡大端面図である。スポンジ部２としては、発泡ウレタン又は発泡メラミンを用いることができる。スポンジ部２は帯状の合成樹脂製ネット１が巻きつけられ、所定の部材３で縛られており、所定形状を形成する。この構成により、従来の合成樹脂製ネットを束ねて形成されたキッチンクリーナーの、洗剤含みの悪さや、洗浄中の泡立ちの悪さが解消される。
【００１３】
　次に、合成樹脂製ネット１の態様について説明する。合成樹脂製ネット１としては、網目がハニカム構造のものを利用することができる。中心部にスポンジ部２を備えた合成樹脂製ネット１の巻回体は、例えば、幅１０ｃｍ、長さ１ｍの帯状の合成樹脂製ネットをスパイラル状に巻き上げ、その巻回体の略中心部をスポンジ部２と共に輪ゴムで縛ることにより形成される。なお、用途などに応じてサイズは適宜変更可能である。
【００１４】
　また、この実施の形態では、帯状の合成樹脂製ネットをスパイラル状に巻き上げているが、この形態に限られたものではない。例えば、この帯状の合成樹脂製ネットを幅１０ｃｍ、長さ３０ｃｍ程度に短冊状にカットし、そのカットしたシートを複数枚重ね、その略中心部にスポンジ部を配して同心円状に巻きつけて巻回体を形成することは本考案の他の好ましい態様である。
【図面の簡単な説明】
【００１５】
【図１】本考案に係るキッチンクリーナーの好ましい実施の形態の斜視図である。
【図２】図１のキッチンクリーナーの正面図である。
【図３】図２のキッチンクリーナーのＡ−Ａ線拡大端面図である。
【符号の説明】
【００１６】
　１　合成樹脂製ネット
　２　スポンジ部
　３　所定の部材　
　１０　キッチンクリーナー　
【図１】
0003100473.tif 000003
【図２】
0003100473.tif 000004
【図３】
0003100473.tif 000005
(57)【要約】
【目的】　指輪と付け爪が連結された身飾品を提供する。
【構成】　爪にかぶせるように形成された装飾体に宝石や装飾模様を施し、指輪とチェーンで接続して装着することを特徴とするものである。
【選択図】　図２
0003100462.tif 000002
【実用新案登録請求の範囲】
【請求項１】
　爪にかぶせるように形成された、付け爪の端に丸管が装着できる突起に穴を設け、チェーン、紐で指輪と連結したことを特徴とする身飾品。
【考案の詳細な説明】
【考案の詳細な説明】
【産業上の利用分野】
【０００１】この考案は、指輪と付け爪を連結させた身飾品である。
【背景技術】
【０００２】従来、指輪と付け爪は別々の物であった。
【考案が解決しようとする課題】
【０００３】従来、指輪と付け爪はつながっていなかったので、付け爪に豪華な貴金属を使用することができなかった、指輪と付け爪がチェーンでつなぐ事で、紛失を防ぎ経済てきである。
【課題を解決するための手段】
【０００４】　上記目的を達成するために、本考案は貴金属を使用し宝石や装飾模様を施し指を飾ることを目的に構成している。
【作用】
【０００５】　上記のように構成された身飾品は、脱着が簡単になるように粘着テープや接着剤を付着させた本体を爪に被せて装着する。
【実施例】
【０００６】　以下、本考案の実施例について説明する。
爪にかぶせるように形成された装飾体に、宝石や装飾模様をほどこし、脱着が簡単に出来るように粘着テープや接着剤を付着させた本体を爪にかぶせて装着する。さらに本体をつなぐチェーンは、指輪に脱着可能なように接続される。
【考案の効果】
【０００７】豪華な付け爪が、紛失する心配なく経済的で安心して使用できる付け爪である。
【図面の簡単な説明】
【０００８】
【図１】　本考案の分解斜視図である。
【図２】　本考案の図１の実施例である。
【符号の説明】
【０００９】　１：付け爪
　２：宝石
　３：チェーン
　４：引き輪
　５：指輪
【図１】
0003100462.tif 000003
【図２】
0003100462.tif 000004
(57)【要約】【課題】　　本考案はシャント手術患者の施術患部を耐久鋼板で覆い各衝撃を防止する。【解決手段】　　本考案は保護具本体２に通風孔３を設け、その両端の内側にネオスポンジ５を設け外側にマジックテープ付ナイロンテープのベルト６を設け、腕のシャント施術患部を湿度や汗などの湿気を防止しながら衝撃から防止することができる。【選択図】　　図１
0003100466.tif 000002
【実用新案登録請求の範囲】
【請求項１】
保護具本体に通風孔を施し本体の上下内側にスポンジを付けて患部と本体が何らかの衝撃で直接接触しないようにし、患部が湿気を帯びない状態で保護することを特徴とする対衝撃抑制と換気通風孔付きシャント施術患部保護具。
【考案の詳細な説明】
【技術分野】
【０００１】本考案は、賢臓透析患者のシャント施術の患部を衝撃から守るための保護具である。
【背景技術】
【０００２】シャント患者の多くは、施術後、腕の患部を包帯やサポーターで覆い、患部に対する外部からの衝撃を保護するように気遣いを余儀なくされていた。
【考案の開示】
【考案が解決しょうとする課題】
【０００３】包帯やサポーターは、患部を覆う程度であり、日常生活の中で万が一にも患部に衝撃があり患部に障害を起こした場合は、別の動脈と静脈の接合部のシャント手術を施術しなければならない。大切なシャント施術の患部を外部からの衝撃から守るには衝撃に耐えうる保護具が必要不可欠か患者の気遣いで保護するしかない。従って、シャント患部を衝撃から守り患部を安心して気遣いをしないようにする衝撃に耐えうる素材のステンレス鋼板の保護具で解決しょうとするものである。
【考案が解決するための手段】
【０００４】本考案は、腕のシャント施術患部をステンレス鋼板に通風孔を設け、腕曲に曲げて患部の上から覆い、腕の患部に対し、保護具の上と下の腕側にスポンジを設けて通風と、患部が接触しないようにし、衝撃から守ることによりシャント施術の患部を保護し患者の気遣いを和らげる。
【考案の効果】
【０００５】上述のように、本考案のシャント施術患部の保護具はシャント施術患者の衝撃に対する精神的な気遣いや万が一の衝撃から守る方法として包帯やサポーターで保護せざるを得なかったが衝撃に対抗する保護具により安心した日常生活が送れることに役立つ。
【考案を実施するための最良の形態】
【０００６】シャント患部保護具本体を腕の太さにあわせて腕曲に曲げることができ、通風孔より患部の湿りを防ぎ、本体の上と下の腕側にスポンジを付けることにより患部と保護材の接触がなくなると共に患部を覆うことにより衝撃を防止することができる。
【実施例】
【０００７】以下、添付図面に従って一実施例を説明する。図１は、シャント施術患者の腕に保護具を装着した状態の図。図３の２は、患部の湿気と汗気を防ぐ通風孔。図５の５は、スポンジで保護具と患部が接触しないようにする為と、肌との接触部の違和感を防ぐ為のものである。また５のマジックテープ付ナイロンベルトを腕に廻し装着するものである。【０００８】本考案の一実施例は上述の如き構成からなるものであるが、これまでの包帯やサポーターを腕の患部に巻いた上での本体を装着により日常生活の中で通勤や買い物、その他往来や生活活動の中での人を含む、あらゆる物からの衝撃を防ぐことにより安心した生活を送ることができる。
【図面の簡単な説明】
【０００９】
【図１】本考案のシャント施術患者の腕に保護具を装着した図である。
【図２】本考案のシャント施術の患部の位置を示す姿図である。
【図３】本考案の保護具の正面図である。
【図４】本考案の図３の側面図である。
【図５】本考案の図３のもう一方向から見た側面図である。
【符号の説明】
【００１０】１　シャント患部
２　ステンレス鋼板本体
３　通気孔
４　リベット
５　ネオスポンジ
６　マジックテープ付ナイロンベルト
【図１】
0003100466.tif 000003
【図２】
0003100466.tif 000004
【図３】
0003100466.tif 000005
【図４】
0003100466.tif 000006
【図５】
0003100466.tif 000007